(57)【特許請求の範囲】
【請求項１】
画像を表示画面上に表示する表示手段を備え、前記表示手段に表示された画像を編集加工する画像処理装置において、
画像を検索するための検索手段と、
前記検索手段における結果を縮小表示する縮小画像表示手段と、
前記縮小画像表示手段により表示された画像の中から貼り合わせの対象となる二以上の画像を指定する画像指定手段と、
前記画像指定手段により指定された画像を貼り合わせの配列に並べて配置する画像配置手段と、
前記画像配置手段により配置された画像を表示する表示制御手段と、
前記表示制御手段により上下または左右の隣り同士に表示された画像を結合させるための任意の結合点を各画像ごと一点だけ指定する結合点指定手段と、
前記結合点指定手段により指定された結合点を基準として隣り同士の画像を貼り合わせる貼り合わせ手段と、
を備えたことを特徴とする画像処理装置。
【請求項２】
前記検索手段は、キーワードが登録されている画像を検索対象として、前記キーワードをもとに検索することができることを特徴とする請求項１に記載の画像処理装置。
【請求項３】
前記キーワードにもとづいて、前記縮小表示する順序を変更することを特徴とする請求項１または２に記載の画像処理装置。
【請求項４】
前記結合点指定手段により指定された結合点の間に接続線を描画する接続線描画手段を備え、
前記表示制御手段は、前記画像配置手段により配置された画像を表示するとともに、前記接続線描画手段により描画された接続線を表示することを特徴とする請求項１〜３のいずれか一つに記載の画像処理装置。
【請求項５】
すでに結合点が指定された画像に対してさらに別の結合点が指定された場合に、当該すでにおこなわれている結合点の指定を解除する結合点指定解除手段を備えたことを特徴とする請求項４に記載の画像処理装置。
【請求項６】
画像を入力する際にもちいられた焦点距離を設定する焦点距離設定手段と、
前記貼り合わせ手段により画像が貼り合わされる際に、前記焦点距離設定により設定された焦点距離にもとづいて画像の補正をおこなう画像補正手段と、
を備えたことを特徴とする請求項１〜５のいずれか一つに記載の画像処理装置。
【請求項７】
画像を表示画面上に表示し、表示された画像を編集加工する画像処理方法において、
画像を検索するための検索工程と、
前記検索工程における結果を縮小表示する縮小画像表示工程と、
前記縮小画像表示工程により表示された画像の中から貼り合わせの対象となる二以上の画像を指定する画像指定工程と、
前記画像指定工程により指定された画像を貼り合わせの配列に並べて配置する画像配置工程と、
前記画像配置工程により配置された画像を表示する表示工程と、
前記表示工程により上下または左右の隣り同士に表示された画像を結合させるための任意の結合点を各画像ごと一点だけ指定する結合点指定工程と、
前記結合点指定工程により指定された結合点を基準として隣り同士の画像を貼り合わせる貼り合わせ工程と、
を含んだことを特徴とする画像処理方法。
【請求項８】
前記検索工程は、キーワードが登録されている画像を検索対象として、前記キーワードをもとに検索することができることを特徴とする請求項７に記載の画像処理方法。
【請求項９】
前記キーワードにもとづいて、前記縮小表示する順序を変更することを特徴とする請求項７または８に記載の画像処理方法。
【請求項１０】
前記結合点指定工程により指定された結合点の間に接続線を描画する接続線描画工程を備え、
前記表示工程は、前記画像配置工程により配置された画像を表示するとともに、前記接続線描画工程により描画された接続線を表示することを特徴とする請求項７〜９のいずれか一つに記載の画像処理方法。
【請求項１１】
すでに結合点が指定された画像に対してさらに別の結合点が指定された場合に、当該すでにおこなわれている結合点の指定を解除する結合点指定解除工程を含んだことを特徴とする請求項１０に記載の画像処理方法。
【請求項１２】
画像を入力する際にもちいられた焦点距離を設定する焦点距離設定工程と、
前記貼り合わせ工程により画像が貼り合わされる際に、前記焦点距離設定により設定された焦点距離にもとづいて画像の補正をおこなう画像補正工程と、
を含んだことを特徴とする請求項７〜１１のいずれか一つに記載の画像処理方法。
【請求項１３】
前記請求項７〜１２のいずれか一つに記載された方法をコンピュータに実行させるプログラムを記録したことを特徴とするコンピュータ読み取り可能な記録媒体。
【発明の詳細な説明】
【０００１】
【発明の属する技術分野】
この発明は、画像を表示画面上に表示し、表示された画像を編集加工し、編集加工を施した画像を検索する画像処理装置、画像処理方法およびその方法をコンピュータに実行させるプログラムを記録したコンピュータ読み取り可能な記録媒体に関する。
【０００２】
【従来の技術】
従来、複数の画像を貼り合わせて一枚の画像にするという技術が存在する。たとえば、背の高いビルやイベント会場の全体像、航空写真等、２回以上に分けなければ全景写真を撮影できない場合や、また、屋内の内装等、通常のデジタルスチルカメラでは被写体との距離が十分とれないため全体を一枚の画像に納めることは困難な場合である。これらの場合に、２回以上に分けて撮影した全景写真の画像を貼り合わせる必要がある。ここで、２枚の画像を貼り合わせる方法としては、画面上でつなぎ目を確認しながら、いずれかの画像を手動で慎重に移動・調整して貼り合わせるという方法がある。
【０００３】
【発明が解決しようとする課題】
しかしながら、上記の従来技術にあっては、熟練者であればともかく、初心者がこれらの作業を効率よくおこなうことはきわめて困難である。さらに、多くの枚数の画像を貼り合わせて一枚の画像にする場合、隣り同士の画像をそれぞれに調整しなければならず、この作業は熟練者であっても効率よくおこなうのは困難である。さらに、つなぎ目を目立たないようにするためには、画像の補正をおこなう必要があり、その場合に手動で貼り合わせたのであれば、画像の補正も手動でおこなわなければならず、さらに作業効率が低下するという問題点があった。
【０００４】
この発明は、上述した従来例による問題を解決するため、初心者にも簡易な操作により高度な貼り合わせが可能な画像処理装置、画像処理方法およびその方法をコンピュータに実行させるプログラムを記録したコンピュータ読み取り可能な記録媒体を提供することを目的とする。
【０００５】
【課題を解決するための手段】
上述した課題を解決し、目的を達成するため、この発明に係る画像処理装置は、画像を表示画面上に表示する表示手段を備え、前記表示手段に表示された画像を編集加工する画像処理装置において、貼り合わせの対象となる二以上の画像を指定する画像指定手段と、前記画像指定手段により指定された画像を貼り合わせの配列に並べて配置する画像配置手段と、前記表示手段を制御して、前記画像配置手段により配置された画像を表示する表示制御手段と、前記表示制御手段により上下または左右の隣り同士に表示された画像を結合させるための任意の結合点を各画像ごと一点だけ指定する結合点指定手段と、前記結合点指定手段により指定された結合点を基準として隣り同士の画像を貼り合わせる貼り合わせ手段と、を備えたことを特徴とする。
【０００６】
この発明によれば、指定された画像を貼り合わせの配列に並べて配置し、配置された画像を表示し、隣り同士に表示された画像に任意の結合点を各画像ごと一点だけ指定するので、結合点となる点を指定するだけの簡易な操作により画像の貼り合わせができ、画像貼り合わせ等の画像の編集加工処理を容易にかつ効率的におこなうことが可能である。
【０００７】
また、この発明に係る画像処理装置は、上記発明において、前記結合点指定手段により指定された結合点の間に接続線を描画する接続線描画手段を備え、前記表示制御手段は、前記表示手段を制御して、前記画像配置手段により配置された画像を表示するとともに、前記接続線描画手段により描画された接続線を表示することを特徴とする。
【０００８】
この発明によれば、指定された結合点の間に接続線を描画するので、線を描くのと同じ感覚で結合点の指定ができ、また、結合点が指定されているか否かの状態が一見して認識することが可能である。
【０００９】
また、この発明に係る画像処理装置は、上記発明において、すでに結合点が指定された画像に対してさらに別の結合点が指定された場合に、当該すでにおこなわれている結合点の指定を解除する結合点指定解除手段を備えたことを特徴とする。
【００１０】
この発明によれば、すでに結合点が指定された画像に対してさらに別の結合点が指定された場合に、当該すでにおこなわれている結合点の指定を解除するので、あらたな結合点を指定する際、あらかじめすでにおこなわれている結合点の指定を解除する必要がなく、初めて結合点を指定するのと同一の操作で、結合点の指定の変更を容易かつ効率的におこなうことが可能である。
【００１１】
また、この発明に係る画像処理装置は、上記発明において、画像を入力する際にもちいられた焦点距離を設定する焦点距離設定手段と、前記貼り合わせ手段により画像が貼り合わされる際に、前記焦点距離指定設定により設定された焦点距離にもとづいて画像の補正をおこなう画像補正手段と、を備えたことを特徴とする。
【００１２】
この発明によれば、画像を入力する際にもちいられた焦点距離を設定し、画像が貼り合わされる際に設定された焦点距離にもとづいて画像の補正をおこなうので、焦点距離が異なる入力手段により入力された画像であっても、歪みを生じることなく画像の貼り合わせをおこなうことが可能である。
【００１３】
また、この発明に係る画像処理方法は、画像を表示画面上に表示し、表示された画像を編集加工する画像処理方法において、貼り合わせの対象となる二以上の画像を指定する第１工程と、前記第１工程により指定された画像を貼り合わせの配列に並べて配置する第２工程と、前記第２工程により配置された画像を表示する第３工程と、前記第３工程により上下または左右の隣り同士に表示された画像を結合させるための任意の結合点を各画像ごと一点だけ指定する第４工程と、前記第４工程により指定された結合点を基準として隣り同士の画像を貼り合わせる第５工程と、を含んだことを特徴とする。
【００１４】
この発明によれば、指定された画像を貼り合わせの配列に並べて配置し、配置された画像を表示し、隣り同士に表示された画像に任意の結合点を各画像ごと一点だけ指定するので、結合点となる点を指定するだけの簡易な操作により画像の貼り合わせができ、画像貼り合わせ等の画像の編集加工処理を容易にかつ効率的におこなうことが可能である。
【００１５】
また、この発明に係る画像処理方法は、上記発明において、前記第４工程により指定された結合点の間に接続線を描画する第６工程を含み、前記第３工程は、前記第２工程により配置された画像を表示するとともに、前記第６工程により描画された接続線を表示することを特徴とする。
【００１６】
この発明によれば、指定された結合点の間に接続線を描画するので、線を描くのと同じ感覚で結合点の指定ができ、また、結合点が指定されているか否かの状態が一見して認識することが可能である。
【００１７】
また、この発明に係る画像処理方法は、上記発明において、すでに結合点が指定された画像に対してさらに別の結合点が指定された場合に、当該すでにおこなわれている結合点の指定を解除する第７工程を含んだことを特徴とする。
【００１８】
この発明によれば、すでに結合点が指定された画像に対してさらに別の結合点が指定された場合に、当該すでにおこなわれている結合点の指定を解除するので、あらたな結合点を指定する際、あらかじめすでにおこなわれている結合点の指定を解除する必要がなく、初めて結合点を指定するのと同一の操作で、結合点の指定の変更を容易かつ効率的におこなうことが可能である。
【００１９】
また、この発明に係る画像処理方法は、上記発明において、画像を入力する際にもちいられた焦点距離を設定する第８工程と、前記第５工程により画像が貼り合わされる際に、前記第８工程により設定された焦点距離にもとづいて画像の補正をおこなう第９工程と、を含んだことを特徴とする
【００２０】
この発明によれば、画像を入力する際にもちいられた焦点距離を設定し、画像が貼り合わされる際に設定された焦点距離にもとづいて画像の補正をおこなうので、焦点距離が異なる入力手段により入力された画像であっても、歪みを生じることなく画像の貼り合わせをおこなうことが可能である。
【００２１】
また、この発明に係る記憶媒体は、上記に記載された方法をコンピュータに実行させるプログラムを記録したことで、そのプログラムを機械読み取り可能となり、これによって、上記の動作をコンピュータによって実現することが可能である。
【００２２】
【発明の実施の形態】
以下に添付図面を参照して、この発明に係る画像処理装置、画像処理方法およびその方法をコンピュータに実行させるプログラムを記録したコンピュータ読み取り可能な記録媒体の好適な実施の形態を詳細に説明する。
【００２３】
（実施の形態１）
まず、この発明の実施の形態１による画像処理装置を含む画像付ドキュメント作成システム全体の構成を説明する。図１はこの発明の実施の形態１による画像処理装置を含む画像付ドキュメント作成システム全体の構成を機能的に示す説明図である。この画像付ドキュメント作成システムは、図１に機能的に示したように、入力部１０１と、加工部１０２と、出力部１０３とから構成される画像処理装置１００と、ホストコンピュータシステム１０５とがＬＡＮ等のネットワークで接続されている。
【００２４】
入力部１０１は、画像の取込み処理をおこなうものであり、たとえば、スキャナやＩＣカード、あるいはデジタルスチルカメラ、フォトＣＤ読取装置等を含むものである。入力部１０１は画像を取込み、取込んだ画像を所定のファイル形式に変換した後、加工部１０２へ送信する。
【００２５】
加工部１０２は、入力部１０１により取込まれた画像を登録、削除、変更等の加工処理をするものであり、たとえば、パーソナルコンピュータ（ＰＣ）等をもちいておこなうものである。また、加工部１０２内に設けられた、あるいは、加工部１０２に外付けされた画像データ記憶部１０４は、たとえば、ＰＣに内蔵のハードディスクや、フロッピーディスク、書き換え可能なＣＤ−ＲＯＭ、ＭＯ、ＤＶＤ等、加工部１０２において加工された画像データを記憶するものである。
【００２６】
さらに加工部１０２は、画像データ記憶部１０４に記憶された画像データを検索し、検索した画像データを他のドキュメントに貼付け、そのドキュメントをディスプレイに表示するように表示制御をおこなったり、出力部１０３に印刷するように印刷制御をおこなったりする。
【００２７】
出力部１０３は、加工部１０２により印刷制御された画像データおよび画像データを含むドキュメントを印刷処理するものである。たとえば、白黒およびフルカラーの印刷が可能なレーザープリンタやデジタル複写機等が含まれる。また、出力部１０３には、名刺を印刷したり、ＩＤカード等のカードを印刷した後そのカードをラミネート加工する機能等を有するプリンタ等も含まれる。
【００２８】
ホストコンピュータシステム１０５は、加工部１０２であるＰＣとＬＡＮ等のネットワークで接続されており、ホストコンピュータ１０６と、ホストコンピュータ１０６とネットワークで接続された複数の端末装置１０７とからなる。ホストコンピュータ１０６には、たとえば社内の人事情報に関する人事情報ファイル１０８が記憶されており、各端末装置１０７からはその人事情報ファイル１０８にアクセルすることができる。
【００２９】
また、加工部１０２と人事情報ファイル１０８とはその情報を互いにリンクできるようになっており、端末装置１０７から社員番号等の人事情報を入力することにより、人事情報ファイル１０８を介して加工部１０２の画像データ記憶部１０４に記憶された画像データを検索することも可能である。
【００３０】
画像付ドキュメント作成システムの具体的な応用例としては、たとえば、顔写真付の名刺を作成する名刺作成システムや、商品写真やスタッフの顔写真を掲載した案内状等の葉書を作成する葉書作成システムや、写真付の身分証明書（ＩＤカード）を作成するＩＤカード作成システムや、企画書や広告チラシやカタログ等のリーフレットを作成するリーフレット作成システムや、写真付のカードを作成するカード作成システムや、社員の写真や履歴書、自己申告書等の顔写真付人事台帳、住所、地図等を作成、管理する人事情報システムや、中古車の写真付情報を検索する中古車検索システムや、仕入れ情報を管理する仕入れ情報企画購入システムや、工程管理、工事台帳との合成による土木建設業向けシステムや、三次元ＣＡＤとの合成による建設完成予想図システム等が含まれる。これらのシステムは当然、カラー写真等のカラー画像をもちいて作成管理するカラーシステムとしてももちいることができる。
【００３１】
つぎに、画像処理装置１００のハードウエア構成について説明する。図２は、実施の形態１による画像処理装置のハードウエア構成を示すブロック図である。
【００３２】
図２において、２０１はシステム全体を制御するＣＰＵを、２０２はブートプログラム等を記憶したＲＯＭを、２０３はＣＰＵのワークエリアとして使用されるＲＡＭを、２０４はＣＰＵ２０１の制御にしたがってＨＤ（ハードディスク）２０５に対するデータのリード／ライトを制御するＨＤＤ（ハードディスクドライブ）を、２０５はＨＤＤ２０４の制御で書き込まれたデータを記憶するＨＤを、２０６はＣＰＵ２０１の制御にしたがってＦＤ（フロッピーディスク）２０７に対するデータのリード／ライトを制御するＦＤＤ（フロッピーディスクドライブ）を、２０７はＦＤＤ２０６の制御で書き込まれたデータを記憶する着脱自在のＦＤを、２０８は文字、画像等を含むドキュメントや機能情報等を表示するディスプレイをそれぞれ示している。
【００３３】
また、２０９は通信回線２１０を介してネットワークＮＥＴに接続され、そのネットワークＮＥＴと内部のインターフェイスを司るインターフェイス（Ｉ／Ｆ）を、２１１は文字、数値、各種指示等の入力のためのキーを備えたキーボードを、２１２はカーソルの移動や範囲選択等をおこなうマウスを、２１３はＣＣＤをもちいた画像を撮影するデジタルスチルカメラを、２１４はドキュメント等を印刷するプリンタを、２１５は上記各部を接続するためのバスをそれぞれ示している。なお、２１３は、画像を光学的に読み取るスキャナでもよい。
【００３４】
また、図３は、実施の形態１による画像処理装置１００の構成を機能的に示すブロック図である。図３において、加工部１０２は、画像データ記憶部１０４のほか、操作指示部３０１と、画像登録部３０２と、画像削除部３０３と、画像変更部３０４と、画像検索部３０５と、画像貼付部３０６と、表示制御部３０７と、表示部３０８と、印刷制御部３０９等を含む構成である。
【００３５】
操作指示部３０１は、表示部３０８の表示内容にしたがって、画像登録部３０２、画像削除部３０３、画像変更部３０４、画像検索部３０５、画像貼付部３０６、表示制御部３０７、印刷制御部３０９の各部に操作の指示をおこなうものである。たとえば、キーボード２１１や、マウス２１２等のポインティングデバイスを含むものである。
【００３６】
画像登録部３０２は、入力部１０１から送信された画像データを、ファイル名等の所定のデータを付加することにより画像データファイルとして登録し、画像データ記憶部１０４へ記憶するものである。画像削除部３０３は、操作指示部３０１からの削除指示にしたがって、画像データ記憶部１０４にすでに記憶されている画像データを画像データ記憶部１０４から削除するものである。
【００３７】
画像変更部３０４は、操作指示部３０１からの変更指示にしたがって、画像データ記憶部１０４にすでに記憶されている画像データファイルの画像データに変更を加え、変更後の画像データを再度画像データ記憶部１０４に記憶するものである。画像変更部３０４の詳細については後述する。
【００３８】
画像検索部３０５は、操作指示部３０１からの検索指示にしたがって、画像データ記憶部１０４にすでに記憶されている画像データファイルのうち、所望の画像データファイルを検索するものである。また、画像貼付部３０６は、操作指示部３０１からの画像貼付指示にしたがって、画像データ記憶部１０４にすでに記憶されている画像データをドキュメントに貼付け処理をおこなうものである。
【００３９】
表示制御部３０７は、操作指示部３０１からの表示指示にしたがって、画像データ記憶部１０４に記憶された画像データファイルの画像や当該画像を縮小した縮小画像等を表示部３０８の表示画面上に表示させるように制御するものである。表示制御部３０７の詳細については後述する。
【００４０】
印刷制御部３０９は、操作指示部３０１からの印刷指示にしたがって、画像データあるいは画像付ドキュメント等の印刷データを出力部１０３へ送信する。また、出力部の操作制御、たとえば印刷枚数の設定等も操作指示部３０１からの操作指示にしたがっておこなう。
【００４１】
画像登録部３０２、画像削除部３０３、画像変更部３０４、画像検索部３０５、画像貼付部３０６、表示制御部３０７、印刷制御部３０９はそれぞれ、ＲＯＭ２０２、ＲＡＭ２０３またはハードディスク２０５、フロッピーディスク２０７等の記録媒体に記録されたＯＳ、アプリケーションプログラム等のプログラムに記載された命令にしたがってＣＰＵ２０１等が命令処理を実行することにより、各部の機能を実現するものである。
【００４２】
また、表示部３０８は、表示制御部３０７による表示制御にもとづき、画像や文字列を含むドキュメント等を表示するものである。たとえばディスプレイ２０８であり、ディスプレイ２０８はＣＲＴや液晶ディスプレイ等を含むものである。
【００４３】
つぎに、画像変更部３０４および表示制御部３０７の構成についてより詳細に説明する。図４は実施の形態１による画像処理装置の画像変更部３０４、表示制御部３０７およびそれら周辺部の構成を機能的に示すブロック図である。図４に示すように、画像変更部３０４は、画像指定部４０１と、画像配置部４０２と、結合点指定部４０３と、貼り合わせ部４０４とを含む構成となっている。
【００４４】
画像指定部４０１は、貼り合わせの対象となる二以上の画像を指定する指定部である。画像指定部４０１は、操作指示部３０１からの操作指示にしたがって、操作者が所望する貼り合わせの対象となる画像を指定する。
【００４５】
画像配置部４０２は、画像指定部４０１により指定された画像を、貼り合わせをおこなう配列に並べて配置するものである。画像を貼り合わせる場合に、縦に一または複数列で貼り合わせる場合や横に一又は複数列で貼り合わせる場合があり、それらの貼り合わせをおこなう配列にあわせて操作指示部３０１からの操作指示にしたがって画像指定部４０１により指定された画像を並べたり、画像の並べ替えをおこなったりする。
【００４６】
結合点指定部４０３は、表示制御部３０７により表示部３０８の表示画面上に上下または左右の隣り同士に表示された画像を結合させるための任意の結合点を各画像ごとに一つだけ指定する指定部である。画像指定部４０１は、操作指示部３０１からの操作指示にしたがって、操作者が所望する結合点を指定する。
【００４７】
なお、画像指定部４０１、画像配置部４０２、結合点指定部４０３の処理の具体的な内容については後述する。
【００４８】
貼り合わせ部４０４は、結合点指定部４０３により指定された結合点を基準として隣り同士の画像を貼り合わせるものである。貼り合わせの方法の詳細は本出願人の特願平９−３１６６７９号または特願平１０−９１１２５号の明細書に記載された方法をもちいることができる。貼り合わせ部４０４により貼り合わせられた画像は、ファイル名が付されて、付されたファイル名により画像データ記憶部１０４に記憶される。
【００４９】
画像指定部４０１、画像配置部４０２、結合点指定部４０３、貼り合わせ部４０４はそれぞれ、ＲＯＭ２０２、ＲＡＭ２０３またはハードディスク２０５、フロッピーディスク２０７等の記録媒体に記録されたＯＳ、アプリケーションプログラム等のプログラムに記載された命令にしたがってＣＰＵ２０１等が命令処理を実行することにより、各部の機能を実現するものである。
【００５０】
また、表示制御部３０７は、表示部３０８を制御して、図７に示す貼り合わせ処理ウインドウ７００や、画像指定部４０１により指定され画像配置部４０２により配置された画像を貼り合わせ処理ウインドウ７００の貼り合わせ作業領域７０１上に表示する。
【００５１】
つぎに、具体的な表示例をもちいて画像処理装置の操作の内容および表示画面の内容について説明する。図５は実施の形態１による画像処理装置の表示部３０８に表示される表示画面の一例を示す説明図である。図５に示される表示画面は実施の形態１による画像処理装置の基本表示画面であり、図５において、表示画面は、画面の略左半分の上側を占めるファイル名表示領域５０１と、ファイル名表示領域５０１の下側を占める縮小画像表示領域５０２と、画面の略右半分を占める選択画像表示領域５０３の３つの領域から構成される。
【００５２】
これらの領域はマルチウインドウにより表示をするのではなく、あえて固定領域としてあり、これらの領域の位置および大きさは変更できないような構成になっている。そのため、常に同一構成の画面が表示されるため、操作者はこれらの領域を一枚の画面としてとらえることができる。したがって操作者は操作時に困惑することなく、また複雑な操作手順を覚える必要もなく、画像処理装置を直感的に使いこなしていくことができ、効率よく画像の編集加工作業等をおこなうことができる。
【００５３】
ファイル名表示領域５０１は、画像データ記憶部１０４、具体的にはたとえばハードディスク２０５やフロッピーディスク２０７に記憶されているファイル名が階層的に表示される。ファイル名表示領域５０１に表示されている画像データファイルのファイル名を見てその中から所望の画像データファイルを検索し指定することにより、所望の画像データファイルを選択することができる。
【００５４】
縮小画像表示領域５０２は、複数の縮小画像から構成されており、実際の画像データを所定倍率で縮小し、その縮小された画像を見ることにより、当該画像データファイルがどのファイルであったかを瞬時に認識するものである。縮小画像の下側には、当該縮小画像の画像データファイルのファイル名があわせて表示されている。
【００５５】
ファイル名表示領域５０１のファイル名を指定する代わりに、縮小画像自体へカーソルを移動させ、マウス２１２等のボタンをクリックすることにより、所望の画像を選択することができる。この場合、操作者はファイル名を正確に記憶していなくても縮小画像を手がかりに所望の画像データファイルを高速にかつ容易に選択することが可能である。
【００５６】
また、各画像データファイルに所定のキーワード、たとえば「人物」、「風景」あるいは「業務用」、「個人用」等のキーワードを付加して登録しておけば、そのキーワードにもとづいて縮小画像の表示順序を並べ替えて表示することができる。これにより、登録画像データファイル数が増加しても、キーワードによる並べ替えをおこなうことにより、所望の画像データファイルの高速で検索することが可能である。
【００５７】
縮小画像の表示数は図５の表示例では８個×３行で２４個表示されるように設定されているが、表示装置の解像度や表示画像の内容、あるいは検索方法の違いによって縮小画像の表示配列や表示個数を変更することが可能である。
【００５８】
選択画像表示領域５０３は、ファイル名表示領域５０１においてファイル名から選択された画像データファイルあるいは縮小画像表示領域５０２においてサムネイルから選択された画像データファイルの画像を表示する領域である。表示形式としては、標準サイズで表示をする標準表示と、画像全体を表示するために拡大または縮小して表示する全体表示と、操作者が所望する倍率で表示する変倍表示とが考えられる。変倍指定は変倍のパーセントを入力することにおこなわれ、１００パーセントで等倍となり、それより少ない数値を入力した場合は縮小、大きい数値を入力した場合は拡大されることになる。
【００５９】
また、選択画像表示領域５０３は、所定のメニューからコマンドを指定することにより、またはその画像自体をダブルクリックすることにより、表示画面全体にファイル名表示領域５０１および縮小画像表示領域５０２を隠蔽するように現在表示中の画像を表示することができる。これにより、編集加工作業をより効率よくおこなうことができる。特に、大きな画像の場合には有効である。編集加工処理が終了した場合は、所定のメニューからコマンドを指定することにより、または再度画像自体をダブルクリックすることにより元の画像領域に戻すことができ、その際、ファイル名表示領域５０１および縮小画像表示領域５０２が再表示される。
【００６０】
つぎに画像指定部４０１による画像指定の操作内容について説明する。図６は実施の形態１による画像処理装置の表示部３０８に表示される表示画面の別の一例を示す説明図である。なお、図６において縮小画像表示領域５０２の縮小画像は説明の便宜上８枚としてある。
【００６１】
図６において、縮小画像表示領域５０２の縮小画像から貼り合わせの対象となる複数枚の画像を指定する。指定の方法としては、指定したい縮小画像のファイル名をキーボード２１１等から入力する方法もあるが、ここではマウス２１２等のポインティングデバイスをもちいて、カーソルを縮小画像の表示領域へ移動させ、マウス２１２等のボタンをクリックすることにより指定する。
【００６２】
複数の縮小画像を同時に指定しなければならないため、たとえば、キーボード２１１のｓｈｉｆｔキー等の特定キーを押下した状態で、マウス２１２等のボタンをクリックすることにより、容易に複数の縮小画像を指定することができる。
【００６３】
図６においては、縮小画像６０１，６０２，６０３の３枚が貼り合わせの対象として指定された状態を示している。指定された縮小画像は表示されたファイル名の部分が反転表示されたり、また、縮小画像の枠が太枠で表示されたりして、当該縮小画像が指定された旨を操作者に認知させるようにするとよい。
【００６４】
縮小画像を指定した後、図６においてメニューバーのうちの「画像補正」メニュー６０４へカーソルを移動させマウス２１２等のボタンをクリックすることにより、プルダウンメニューの一つとして表示される「画像貼り合わせ」メニュー６０５をさらにクリックすることにより選択する。それにより、図７のような貼り合わせ処理ウインドウ７００がポップアップして表示される。
【００６５】
つぎに、画像配置部４０２の処理の内容について説明する。図７〜９は実施の形態１による画像処理装置の表示部３０８に表示される表示画面の別の一例を示す説明図である。貼り合わせ処理ウインドウ７００は、貼り合わせ作業領域７０１と、モード切替部７０２と、配列切替部７０３と、拡大ボタン７０４と、縮小ボタン７０５と、開始ボタン７０６と、キャンセルボタン７０７とを含む構成である。
【００６６】
貼り合わせ作業領域７０１には、画像指定部４０１によって指定された画像が表示される。図７においては、図６において指定された縮小画像６０１，６０６，６０３と同一画像が所定の縮小倍率で表示されている（７５１，７５２，７５３）。
【００６７】
モード切替部７０２には、マウス２１２等のポインティングデバイスのクリックモードとして、画像位置入替モード７０８と、結合位置指定モード７０９のクリックモードが表示されている。
【００６８】
配列切替部７０３は、画像指定部４０１によって指定された画像をどのような配列で表示するかを切り替えるアイコンが用意されている。３枚の画像を指定して選択した場合、横に３枚を並べる配列と縦に３枚を並べる配列とがあり、その配列状態をアイコン化して表示している。横３枚の配列のアイコン７１０と縦３枚のアイコン７１１である。
【００６９】
このアイコン上へカーソルを移動させ、マウス２１２等のボタンをクリックすると、貼り合わせ作業領域７０１に表示されている画像の配列が変更される。配列切替部７０３に表示されるアイコンは、画像指定部４０１により指定された枚数に対応して形状および数が異なる。
【００７０】
図７においては、アイコン７１１が選択された状態である。３枚の画像７５１，７５２，７５３が貼り合わせ作業領域７０１上に、アイコン７１０と同様の配列、すなわち縦に３枚並べる配列に表示されている。
【００７１】
一方、図８は実施の形態１による画像処理装置の表示部３０８に表示される表示画面の別の一例を示す説明図であり、図８においては、アイコン７１０が選択された状態である。このように、アイコンを押下するという簡易な操作で配列を変更することができる。
【００７２】
拡大ボタン７０４は、貼り合わせ作業領域７０１上に表示された画像のサイズを拡大させるためのボタンである。拡大ボタンを１回押下することにより、すなわちカーソルを拡大ボタン７０４上へ移動させ、マウス２１２等のボタンを１回クリックすることにより、あらかじめ定められた倍率で拡大され、拡大された画像が貼り合わせ作業領域７０１上に表示される。これにより、操作者は結合点を指定しやすくなる。
【００７３】
図９は実施の形態１による画像処理装置の表示部３０８に表示される表示画面の別の一例を示す説明図であり、図９においては、拡大ボタン７０４が１回だけ押下された状態である。
【００７４】
縮小ボタン７０５は、拡大ボタン７０４とは逆に押下回数によって拡大ボタン７０４においてあらかじめ定められた倍率と同一の倍率で縮小される。したがって、縮小ボタン７０５を拡大ボタン７０４の押下回数と同一回数だけ押下することにより元の画像のサイズに戻ることになる。なお、図７では、画像のサイズをそれ以上縮小する必要がないので、縮小ボタン７０５はグレイアウトしおり、押下できない状態になっている。
【００７５】
開始ボタン７０６は、画像の貼り合わせ処理の開始指示をおこなうためのボタンである。現状では、結合点の指定が未だなされていないため、開始ボタン７０６はグレイアウトしており、押下できない状態になっている。
【００７６】
キャンセルボタン７０７は、貼り合わせ処理のキャンセル指示をおこなうためのボタンである。キャンセルボタン７０７の押下により、現時点までおこなわれてきた貼り合わせ処理は中止され、貼り合わせ処理ウインドウ７００が閉じられる。
【００７７】
また、貼り合わせ領域４０１に表示されている画像は、結合点指定部４０３により結合点の指定をおこなうので、画像は貼り合わせをおこなう配列に並べられていなければならない。そのため、画像配置部４０２は、画像位置の入替処理をおこなう。
【００７８】
図１０は、実施の形態１による画像処理装置の画像配置部４０２における画像位置の入替処理を説明する説明図である。
【００７９】
まず、モード切替部７０２のクリックモードを画像位置入替モード７０８にする。つぎに位置を入れ替えたい画像を指定する。指定の方法は、たとえばマウス２１２等により所望の画像（所望画像Ａとする）をクリックすることによりおこなう（図１０（ａ））。
【００８０】
つぎに所望画像Ａをドラッグして、入れ替えたい位置に表示されている別の画像（別画像Ｂとする）の近傍でその所望画像Ａをドロップする（図１０（ｂ））。それにより、所望画像Ａは別画像Ｂがあった位置へ移動すると共に、別画像Ｂは所望画像Ａが元あった位置へと移動する（図１０（ｃ））。
【００８１】
モード切替部７０２のクリックモードが画像位置入替モード７０８であれば、同様の操作は何回でも繰り返しおこなうことができる。これにより、画像の入替処理を高速でかつ効率的におこなうことができる。
【００８２】
つぎに、結合点指定部４０３の処理の内容について説明する。まず、モード切替部７０２のクリックモードを結合位置指定モード７０９にする。図１１は、実施の形態１による画像処理装置の表示部に表示される表示画面の別の一例を示す説明図である。
【００８３】
図１１（あるいは図９）における貼り合わせ作業領域７０１において、隣り同士の画像を比較して、両方の画像に同一の画像が存在する部分のうち、特徴があるポイントをそれぞれ、マウス２１２等のポインティングデバイスで指定する。特徴があるポイントを正確に指定するために、画像は図１１に示すようにある程度拡大したほうが処理が確実である。
【００８４】
具体的には、画像７５２および画像７５３の両方に重なって表示されている画像中央左側の街頭の先端１１０２および１１０３が結合点としては適している。これらの先端１１０２および１１０３へカーソルを移動させ、マウス２１２等のボタンをクリックすることにより結合点の指定がおこなわれる。指定された結合点の座標データは結合点指定部４０３内に設けられた記憶部に記憶される。結合点の指定は上下および左右の各隣り同士の画像ごとにおこなう。
【００８５】
結合点の指定がすべての隣り同士の画像において終了した後、つぎに開始ボタン７０６が押下されることにより、貼り合わせ処理が実行される。貼り合わせ処理が完了すると、貼り合わせ処理が完了した画像が貼り合わせ作業領域７０１に表示され、「この結果でよいですか？」というメッセージが表示されたウインドウ１２００が表示される。
【００８６】
図１２は実施の形態１による画像処理装置の表示部に表示されるウインドウの一例を説明する説明図である。図１２において、ウインドウ１２００内の「はい」ボタン１２０１を押下すると、貼り合わせ結果の画像がファイル名を付されて、画像データ記憶部１０４に記憶される。一方、「いいえ」ボタン１２０２が押下されると、貼り合わせ結果の画像は破棄され、開始ボタン７０６が押下される直前の画面に戻り、再度結合点指定の処理をおこなうことができる。
【００８７】
つぎに、実施の形態１において画像変更部３０４および表示制御部３０７の一連の処理の手順について説明する。図１３は実施の形態１による画像変更部および表示制御部の一連の処理の手順を示すフローチャートである。図１３のフローチャートにおいて、まず、二以上の画像の指定があったか否かについて判断する（ステップＳ１３０１）。二以上の画像の指定を待って（ステップＳ１３０１肯定）、つぎに、貼り合わせ処理の指示があったか否かについて判断する（ステップＳ１３０２）。
【００８８】
ステップＳ１３０２において、貼り合わせ処理の指示がなかった場合（ステップＳ１３０２否定）は、他の処理の指示、たとえば画像の削除処理等の指示があったか否かについて判断する（ステップＳ１３０３）。ここにおいて、他の処理の指示がなかった場合は（ステップＳ１３０３否定）、ステップＳ１３０１へ移行し、以後同一の処理を繰り返す。一方、ステップＳ１３０３において、他の処理の指示があった場合（ステップＳ１３０３肯定）は、当該他の処理を実行し（ステップＳ１３０４）、処理を終了する。
【００８９】
ステップＳ１３０２において、貼り合わせ処理の指示があった場合（ステップＳ１３０２肯定）は、つぎに、指定された画像の画像配置処理をおこなう（ステップＳ１３１０）。なお、画像配置の処理手順の詳細については後述する。
【００９０】
つぎに、画像配置の変更があるか否かを判断し（ステップＳ１３４０）、変更がある場合（ステップＳ１３４０肯定）は、ステップＳ１３１０へ移行し、画像配置を再度おこなう。ステップＳ１３４０において、画像配置の変更がない場合（ステップＳ１３４０否定）は、結合点の指定があったか否かを判断する（ステップＳ１３５０）。結合点の指定があった場合（ステップＳ１３５０肯定）は、その指定のあった結合点の座標データを保持する（ステップＳ１３６５）。すべての結合点が指定されるまで、ステップＳ１３５０〜Ｓ１３７０のステップを繰り返し、すべての結合点が指定された場合（ステップＳ１３７０肯定）は、さらに、結合点の変更があるか否かを判断する（ステップＳ１３８０）。
【００９１】
ステップＳ１３８０において、結合点の変更がある場合（ステップＳ１３８０肯定）は、ステップＳ１３５０へ移行する。一方、ステップＳ１３８０において、結合点の変更がない場合（ステップＳ１３８０否定）は、開始ボタンが押下されたか否かを判断する（ステップＳ１３８１）。ここで、開始ボタンが押下された場合（ステップＳ１３８１肯定）は、貼り合わせ処理を実行し（ステップＳ１３８２）、その貼り合わせ処理の結果を表示部３０８の表示画面上に表示する（ステップＳ１３８３）。
【００９２】
つぎに、表示された結果がＯＫであるか否かを判断する（ステップＳ１３８４）。ここにおいて、結果がＯＫでなければ（ステップＳ１３８４否定）、ステップＳ１３５０へ移行し、再度、結合点の指定処理をおこなう。一方、結果がＯＫであれば、結果を記憶し（ステップＳ１３８５）、すべての処理を終了する。
【００９３】
ステップＳ１３８１において、開始ボタンが押下されない場合（ステップＳ１３８１否定）は、画像配置の変更があるか否かを判断し（ステップＳ１３９０）、画像配置の変更がある場合（ステップＳ１３９０肯定）は、ステップＳ１３１０へ移行し、以下同様の処理を繰り返しおこなう。一方、画像配置の変更がない場合（ステップＳ１３９０否定）は、ステップＳ１３８０へ移行し、結合点の変更があるか否かを判断し、以下同様の処理を繰り返す。
【００９４】
つぎに、ステップＳ１３１０の画像の配置処理についての詳細の処理手順について説明する。図１４は実施の形態１による画像配置部４０２の処理の手順を示すフローチャートである。図１３のフローチャートのステップＳ１３０２において、貼り合わせ処理の指示があった場合（ステップＳ１３０２肯定）は、図１４のフローチャートにおいて、画像の配列変更の指示があったか否かを判断し（ステップＳ１３１１）、指示があった場合（ステップＳ１３１１肯定）は、配列変更をおこない（ステップＳ１３１２）、一方、指示がなかった場合は（ステップＳ１３１１否定）は、何もおこなわずにつぎのステップへ移行する。
【００９５】
つぎに、画像入替の指示があったか否かを判断し（ステップＳ１３１３）、指示があった場合（ステップＳ１３１３肯定）は、入替処理をおこない（ステップＳ１３１４）、一方、指示がなかった場合は（ステップＳ１３１３否定）は、何もおこなわずにつぎのステップへ移行する。
【００９６】
つぎに、画像が拡大可能な状態か否かを判断し（ステップＳ１３１５）、可能であれば（ステップＳ１３１５肯定）、拡大指示があったか否かを判断する（ステップＳ１３１６）。拡大指示があった場合（ステップＳ１３１６肯定）は、拡大処理をおこなう（ステップＳ１３１７）。これに対し、拡大可能でない場合（ステップＳ１３１５否定）あるいは拡大指示がなかった場合（ステップＳ１３１６否定）は、何もおこなわずにつぎのステップへ移行する。
【００９７】
つぎに、画像が縮小可能な状態か否かを判断し（ステップＳ１３１８）、可能であれば（ステップＳ１３１８肯定）、拡大指示があったか否かを判断する（ステップＳ１３１９）。拡大指示があった場合（ステップＳ１３１９肯定）は、拡大処理をおこなう（ステップＳ１３２０）。これに対し、拡大可能でない場合（ステップＳ１３１８否定）あるいは拡大指示がなかった場合（ステップＳ１３１９否定）は、何もおこなわずにつぎのステップ、すなわちステップＳ１３４０へ移行する。
【００９８】
以上説明したように、この実施の形態１によれば、複数枚の画像を貼り合わせる際、その画像の指定、画像の配置、結合点の指定をそれぞれ容易におこなうことができる。
【００９９】
（実施の形態２）
さて、上述した実施の形態１では、結合点の指定を点による指定、すなわち、マウス２１２等のマウスボタンをクリックすることによりおこなったが、以下に説明する実施の形態２のように、結合点の指定を線によりおこなう、すなわち隣り同士の画像の結合点の指定をマウス２１２等のドラッグ・アンド・ドロップによりおこなうようにしてもよい。
【０１００】
この発明の実施の形態２による画像処理装置を含む画像付ドキュメント作成システム全体および画像処理装置１００のハードウエア構成については実施の形態１と同様であるので、その説明は省略する。また、画像処理装置１００のうち画像変更部３０４、表示制御部３０７をのぞく他の各部についても実施の形態１と同様の構成であるので、その説明も省略する。
【０１０１】
つぎに、画像変更部３０４について説明する。図１５はこの発明の実施の形態２による画像処理装置の画像変更部３０４およびその周辺部の構成を機能的に示すブロック図である。図１５に示すように、画像変更部３０４は、画像指定部１５０１と、画像配置部１５０２と、結合点指定部１５０３と、貼り合わせ部１５０４と、接続線描画部１５０５とを含む構成となっている。なお、結合点指定部１５０３、接続線描画部１５０５以外の各部は実施の形態１と同様の構成であるので、その説明は省略する。
【０１０２】
結合点指定部１５０３は、実施の形態１の結合点指定部４０３とは、表示制御部３０７により表示部３０８の表示画面上に上下または左右の隣り同士に表示された画像を結合させるための任意の結合点を各画像ごとに一つだけ指定する指定部としては同一の構成であるが、結合点指定部４０３とは結合点の指定の方法が異なる。また、接続線描画部１５０５は、結合点指定部１５０３により指定された結合点の間に接続線を描画するものである。結合点指定部１５０３および接続線描画部１５０５の処理の内容についての詳細は後述する。
【０１０３】
画像指定部１５０１、画像配置部１５０２、結合点指定部１５０３、貼り合わせ部１５０４、接続線描画部１５０５はそれぞれ、ＲＯＭ２０２、ＲＡＭ２０３またはハードディスク２０５、フロッピーディスク２０７等の記録媒体に記録されたＯＳ、アプリケーションプログラム等のプログラムに記載された命令にしたがってＣＰＵ２０１等が命令処理を実行することにより、各部の機能を実現するものである。
【０１０４】
さらに、表示制御部３０７は、表示部３０８を制御して、画像配置部１５０２により配置された画像を表示するとともに、接続線描画部１５０５により描画された接続線１６２１もあわせて表示する。
【０１０５】
つぎに、結合点指定部１５０３および接続線描画部１５０５による結合点の指定処理および接続線の描画処理について説明する。図１６は実施の形態２による画像処理装置の表示部３０８に表示される表示画面の別の一例を示す説明図である。クリックモードを結合位置指定モードにし、隣り同士の画像１６０２と１６０３を比較して、両方の画像に同一の画像が存在する部分のうち特徴があるポイントを特定し、まず、画像１６０２上のポイント１６１２へカーソルを移動させる。
【０１０６】
つぎに、マウス２１２等のボタンをクリック（押下）し、押下した状態を保持したまま、マウス２１２等を動かすことでカーソルを画像１６０３上のポイント１６１３の方向へ移動させる（ドラッグ）。接続線描画部１５０５は、カーソルの移動に連動して画面上のカーソルの軌跡と同一座標に接続線１６２１を描画する。カーソルがポイント１６１３へ到達したとき、押下した状態を保持していたボタンの押下を解除し（ドロップ）、接続線描画部１５０５により描画された接続線１６２１が確定する。
【０１０７】
これにより、結合点の指定処理がおこなわれたことになる。指定された結合点の座標データは結合点指定部１５０３内に設けられた記憶部に保持（記憶）される。結合点の指定は上下および左右の各隣り同士の画像ごとにおこなうのは、実施の形態１と同様である。結合点の指定がすべての隣り同士の画像において終了した後、つぎに開始ボタンが押下されることにより、貼り合わせ処理が実行される。
【０１０８】
このように、マウス等のボタンを押下しその状態でマウスを移動し所定の位置で押下した状態のボタンを解除するというもっとも単純な操作により結合点の指定をおこなうことができる。
【０１０９】
接続線１６２１はたとえば赤色の線等、識別が容易におこなうことができる色の線とするのがよい。また接続線１６２１の太さ等も同様に識別が容易におこなうことができる太さとするのがよい。接続線１６２１の色、太さ等の線の種類は、操作者の所望の種類となるように選択可能としてもよい。また、画像にもちいられている色を考慮して、その色との関係で、より識別が容易となるように、画像に応じて自動的に変更するように設定してもよい。
【０１１０】
また、接続線１６２１は、たとえばドラッグ中は点線で表示し、ドロップして結合点を確定させたのちに、実線で表示するように変更するようにしてもよい。これにより、結合線指定の処理の経過を容易に確認することができる。
【０１１１】
つぎに、実施の形態２において画像変更部３０４および表示制御部３０７の一連の処理の手順について説明する。図１７は実施の形態２による画像変更部３０４および表示制御部３０７の一連の処理の手順の一部を示すフローチャートである。図１７のフローチャートは実施の形態１の図１３のフローチャートとは、ステップＳ１３０１〜ステップＳ１３４０まで、およびステップＳ１３６５〜ステップＳ１３９０までは同一の処理をおこなうので、その表記および説明は省略する。
【０１１２】
まず、実施の形態１の図１３のフローチャートにおけるステップＳ１３４０において、画像配置の変更がなかった場合（ステップＳ１３４０否定）は、図１７のフローチャートにおいて、マウス２１２等のボタンの押下があったか否かを判断する（ステップＳ１３５１）。ここにおいて、ボタンの押下があった場合（ステップＳ１３５１肯定）、カーソルの位置が画像上にあるか否かを判断し（ステップＳ１３５２）、画像上でない場合（ステップＳ１３５２否定）は、その旨のエラー表示をして（ステップＳ１３５３）、ステップＳ１３５１へ移行する。一方、カーソルの位置が画像上にある場合（ステップＳ１３５３肯定）は、その点から接続線の描画を開始する。
【０１１３】
その後、ステップＳ１３５５において、マウス２１２等のボタンの押下が解除されるのを待って、解除された場合（ステップＳ１３５５肯定）、カーソル位置が上記ステップＳ１３５２においてカーソル位置があった画像の隣り同士の画像上にあるか否かを判断する（ステップＳ１３５６）。当該画像の隣りの画像上にない場合（ステップＳ１３５６否定）は、その旨のエラー表示をおこない（ステップＳ１３５３）、その後ステップＳ１３５１へ移行し、同様の処理を繰り返しおこなう。
【０１１４】
一方、ステップＳ１３５６において、カーソル位置が当該画像の隣りの画像上にある場合（ステップＳ１３５６肯定）は、接続線の描画を終了する（ステップＳ１３６１）。その後、実施の形態１の図１３のステップＳ１３６５へ移行する。
【０１１５】
以上説明したように、この実施の形態２によれば、指定された結合点の間に接続線を描画するので、線を描くのと同じ感覚で結合点の指定ができ、また、結合点が指定されているか否かの状態が一見して認識することができる。
【０１１６】
（実施の形態３）
さて、上述した実施の形態１または２では、一旦指定された結合点を変更することについてはなんら説明していないが、以下に説明する実施の形態２のように、すでに結合点が指定された画像に対してさらに別の点が指定された場合に、すでに指定された結合点の指定を解除するようにしてもよい。
【０１１７】
この発明の実施の形態３による画像処理装置を含む画像付ドキュメント作成システム全体および画像処理装置１００のハードウエア構成については実施の形態１と同様であるので、その説明は省略する。また、画像処理装置１００のうち画像変更部３０４をのぞく他の各部についても実施の形態１と同様の構成であるので、その説明も省略する。
【０１１８】
つぎに、画像変更部３０４について説明する。図１８はこの発明の実施の形態３による画像処理装置の画像変更部３０４およびその周辺部の構成を機能的に示すブロック図である。図１８に示すように、画像変更部３０４は、画像指定部１８０１と、画像配置部１８０２と、結合点指定部１８０３と、貼り合わせ部１８０４と、接続線描画部１８０５と、結合点指定解除部１８０６とを含む構成となっている。
【０１１９】
なお、結合点指定部１８０３、接続線描画部１８０５、結合点指定解除部１８０６以外の各部は実施の形態１と同様の構成であり、接続線描画部１８０５は実施の形態２の接続線描画部１５０５と同様の構成であるので、その説明は省略する。
【０１２０】
結合点指定部１８０３は、実施の形態１の結合点指定部４０３または実施の形態２の結合点指定部１５０３のどちらの構成であってもよい。また、結合点指定解除部１８０６は、すでに結合点が指定された画像に対してさらに別の点が指定された場合に、すでに指定された結合点の指定を解除するものである。結合点解除部１８０６の処理の内容についての詳細は後述する。
【０１２１】
画像指定部１８０１、画像配置部１８０２、結合点指定部１８０３、貼り合わせ部１８０４、接続線描画部１８０５、結合点解除部１８０６はそれぞれ、ＲＯＭ２０２、ＲＡＭ２０３またはハードディスク２０５、フロッピーディスク２０７等の記録媒体に記録されたＯＳ、アプリケーションプログラム等のプログラムに記載された命令にしたがってＣＰＵ２０１等が命令処理を実行することにより、各部の機能を実現するものである。
【０１２２】
つぎに、結合点解除部１８０６による結合点の解除処理について説明する。結合点解除部１８０６は、隣り同士の画像の結合点が指定されると、当該隣り同士の画像の結合点がすでに指定されているかを結合点指定部１８０３内に設けられた記憶部に記憶された結合点の座標データがあるか否かを参照することにより認識する。
【０１２３】
また、結合点解除部１８０６はあらたに結合点が指定された場合は、すでに記憶された座標データを削除することにより結合点を解除し、あらたに指定された結合点を記憶する。これにより、結合点を容易に変更することができる。さらに、結合点解除部１８０６は、すでに指定された結合点間に描画された接続線がある場合は、その接続線もあわせて消去する。
【０１２４】
つぎに、実施の形態３において画像変更部３０４および表示制御部３０７の一連の処理の手順について説明する。図１９は実施の形態３による画像変更部３０４および表示制御部３０７の一連の処理の手順の一部を示すフローチャートである。
【０１２５】
図１９のフローチャートは実施の形態１の図１３のフローチャートとは、ステップＳ１３０１〜ステップＳ１３４０まで、およびステップＳ１３６５〜ステップＳ１３９０までは同一の処理をおこなうので、その表記および説明は省略する。また、図１９のフローチャートは実施の形態２の図１７のフローチャートとは、ステップＳ１３５１〜ステップＳ１３５６まで、およびステップＳ１３６５は同一の処理をおこなうので、その説明も省略する。
【０１２６】
ステップＳ１３５６において、隣り同士の画像上である場合（ステップＳ１３５６肯定）は、つぎに当該隣り同士の画像に結合点が指定されているか否かを判断する（ステップＳ１３５７）。ここにおいて、結合点が指定されていない場合（ステップＳ１３５７否定）は、何もおこなわずに、ステップＳ１３６１へ移行する。
【０１２７】
一方、結合点が指定されている場合（ステップＳ１３５７肯定）は、結合点の解除をおこない（ステップＳ１３５８）、解除した結合点の間に描画されていた接続線を消去し（ステップＳ１３５９）、その後ステップＳ１３６１へ移行する。
【０１２８】
以上説明したように、この実施の形態３によれば、すでに結合点が指定された画像に対してさらに別の結合点が指定された場合に、結合点指定解除部１８０６が当該すでにおこなわれている結合点の指定を解除するので、あらたな結合点を指定する際、あらかじめすでにおこなわれている結合点の指定を解除する必要がなく、初めて結合点を指定するのと同一の操作で、結合点の指定の変更を容易かつ効率的におこなうことができる。
【０１２９】
（実施の形態４）
さて、上述した実施の形態１〜３では、常に同一の焦点距離をもつデジタルスチルカメラ２１３で撮影された画像を対象として考えており、したがって焦点距離については不変なものとして考えていたが、以下に説明する実施の形態４のように、焦点距離の異なるデジタルスチルカメラ２１３で撮影された画像であっても画像の貼り合わせの際歪み等の補正が適切におこなえるように焦点距離を設定するようにしてもよい。
【０１３０】
この発明の実施の形態４による画像処理装置を含む画像付ドキュメント作成システム全体および画像処理装置１００のハードウエア構成については実施の形態１と同様であるので、その説明は省略する。また、画像処理装置１００のうち画像変更部３０４をのぞく他の各部についても実施の形態１と同様の構成であるので、その説明も省略する。
【０１３１】
つぎに、画像変更部３０４について説明する。図２０はこの発明の実施の形態４による画像処理装置の画像変更部３０４およびその周辺部の構成を機能的に示すブロック図である。図２０に示すように、画像変更部３０４は、画像指定部２００１と、画像配置部２００２と、結合点指定部２００３と、貼り合わせ部２００４と、接続線描画部２００５と、結合点指定解除部２００６と、焦点距離設定部２００７と。画像補正部２００８と、を含む構成となっている。なお、焦点距離設定部２００７、画像補正部２００８以外の各部は実施の形態１から３と同様の構成であり、その説明は省略する。
【０１３２】
焦点距離設定部２００７は、操作指示部３０１の操作指示にしたがって、デジタルスチルカメラ２１３等で撮影された画像の焦点距離を設定するものである。焦点距離の設定の方法としては、直接、焦点距離を数値で入力する方法もあるが、カメラの種類とズーム等をもちいたか否か等の情報を入力することにより、あらかじめ記憶されたカメラの種類と焦点距離に関するテーブルから焦点距離を設定する方法もある。焦点距離設定部２００７の焦点距離の設定処理の内容についての詳細は後述する。
【０１３３】
画像補正部２００８は、焦点距離設定部２００７により設定された焦点距離のデータにもとづいて、画像の貼り合わせ処理をおこなう際、画像の補正をおこなうものである。補正処理の内容としては、たとえば、画像の光学系の歪曲収差による歪みの補正処理がある。具体的には、焦点距離のデータにもとづいて歪曲収差係数を推定し、推定した歪曲収差係数をもちいて各画像に歪み補正を施すものである。詳細は本出願人の特願平９−３０３８９３の明細書に詳細に述べられている方法をもちいればよい。
【０１３４】
画像指定部２００１、画像配置部２００２、結合点指定部２００３、貼り合わせ部２００４、接続線描画部２００５、結合点解除部２００６、焦点距離設定部２００７、画像補正部２００８はそれぞれ、ＲＯＭ２０２、ＲＡＭ２０３またはハードディスク２０５、フロッピーディスク２０７等の記録媒体に記録されたＯＳ、アプリケーションプログラム等のプログラムに記載された命令にしたがってＣＰＵ２０１等が命令処理を実行することにより、各部の機能を実現するものである。
【０１３５】
つぎに、焦点距離設置部２００７による焦点距離の設定処理について説明する。図２１は、実施の形態４による画像処理装置の表示部３０８に表示される表示画面の一例を示す説明図である。図２１において、２１０１は焦点距離を設定するための焦点距離設定ウインドウ２１０２を開く焦点距離ボタンである。図２１においては、すでに焦点距離ボタン２１０１が押下され、それにともなって焦点距離設定ウインドウ２１０２がポップアップしている状態を示している。
【０１３６】
焦点距離設定ウインドウ２１０２はデジタルスチルカメラ２１３の種類を入力する入力枠２１０３と、ズーム切替部２１０４と、ＯＫボタン２１０５と、キャンセルボタン２１０６とを含む構成である。
【０１３７】
入力枠２１０３には直接キーボード２１１からデジタルスチルカメラ名を入力することもできるが、通常は、右端のボタンを押下することにより入力可能なデジタルスチルカメラ名の一覧を表示させ、その中から貼り合わせの対象となる画像を撮影したデジタルスチルカメラ名を選択し、入力することができる。
【０１３８】
ズーム切替部２１０４は貼り合わせの対象となる画像がズームをもちいて撮影されたか否かに関するズームの切り替えをするものである。ズームをもちいて撮影されていなければ「標準」に切り替え、一方、ズームをもちいて撮影されていれば「最大」に切り替える。
【０１３９】
なお、本実施の形態では、２種類の切り替えができるようにしたが、デジタルスチルカメラの種類やズームの種類によっては、さらに多くの種類のズームを切り替えられるようにしてもよい。また、デジタルスチルカメラの種類によっては、これらの焦点距離の設定に関する情報を画像データに付加することが考えられ、その場合、その焦点距離の設定に関する情報を読み取って、自動的に焦点距離の設定をおこなうようにしてもよい。
【０１４０】
デジタルスチルカメラ名の入力およびズームの切り替えが完了した後に、ＯＫボタンを押下することにより、焦点距離の設定処理が終了し、焦点距離設定ウインドウ２１０２は閉じられる。また、キャンセルボタン２００６を押下することにより、それまでの設定処理を中止するとともに、焦点距離設定ウインドウ２１０２は閉じられる。
【０１４１】
つぎに、実施の形態４において画像変更部３０４および表示制御部３０７の一連の処理の手順について説明する。図２２は実施の形態４による画像変更部および表示制御部の一連の処理の手順の一部を示すフローチャートである。
【０１４２】
図２２のフローチャートは実施の形態１の図１３のフローチャートとは、ステップＳ１３０１〜ステップＳ１３１０まで、およびステップＳ１３４０〜ステップＳ１３９０までは同一の処理をおこなうので、その表記および説明は省略する。また、図２２のフローチャートは実施の形態１の図１４のフローチャートとは、ステップＳ１３１１〜ステップＳ１３２０までは同一の処理をおこなうので、その説明は省略する。
【０１４３】
図２２のフローチャートにおいて、ステップＳ１３１９否定またはステップＳ１３２０肯定の場合に、焦点距離設定の指示があったか否かを判断する（ステップＳ１３３１）。指示があった場合（ステップＳ１３３１肯定）は、焦点距離設定処理をおこなう（ステップＳ１３３２）。これに対し、表示指示がなかった場合（ステップＳ１３３１否定）は、何もおこなわずにつぎのステップ、すなわちステップＳ１３４０へ移行する。
【０１４４】
以上説明したように、この実施の形態４によれば、焦点距離設定部２２０７が画像を入力する際にもちいられた焦点距離を設定し、画像補正部２２０８が画像が貼り合わされる際に設定された焦点距離にもとづいて画像の補正をおこなうので、焦点距離が異なる入力手段により入力された画像であっても、歪みを生じることなく画像の貼り合わせをおこなうことができる。
【０１４５】
（実施の形態５）
さて、上述した実施の形態１〜４では、貼り合わせた後の画像の形状が正方形あるいは長方形になるような画像の枚数（たとえば、貼り合わせる画像が２枚、３枚、４枚、６枚、９枚．．．）のみ貼り合わせることができるようにしたが、以下に説明する実施の形態５のように、貼り合わせる画像が４枚、５枚、６枚、７枚、８枚、９枚．．．の画像を横長のパノラマ画像として貼り合わせることができるようにしてもよい。
【０１４６】
この発明の実施の形態５による画像処理装置を含む画像付ドキュメント作成システム全体および画像処理装置１００のハードウエア構成については実施の形態１と同様であるので、その説明は省略する。また、画像処理装置１００の機能的な構成も実施の形態１〜４と同様であるので、その説明は省略する。
【０１４７】
図２３は実施の形態５による画像処理装置の表示部３０８に表示される表示画面の一例を示す説明図である。貼り合わせ処理ウインドウ２３００は、貼り合わせ作業領域２３０１と、モード切替部２３０２と、配列切替部２３０３と、ズーム切替部２３０４と、カメラ切替部２３０５と、拡大ボタン２３０６と、縮小ボタン２３０７と、開始ボタン２３０８と、キャンセルボタン２３０９とを含む構成である。
【０１４８】
貼り合わせ作業領域２３０１には、実施の形態１の貼り合わせ作業領域７０１と同様に、画像指定部４０１によって指定された画像が表示される。図２３においては、指定された５枚の縮小画像と同一の画像が所定の倍率で表示されている（２３５１，２３５２，２３５３，２３５４，２３５５）。
【０１４９】
モード切替部２３０２には、実施の形態１のモード切替部７０２と同様に、マウス２１２等のポインティングデバイスのクリックモードとして、画像位置入替モード２３１１と、結合位置指定モード２３１２のクリックモードが表示される。画像位置入替モード２３１１および結合位置指定モード２３１２は、実施の形態１の画像位置入替モード７０８および結合位置指定モード７０９と同様の内容なので、その説明は省略する。
【０１５０】
配列切替部２３０３には、画像指定部４０１によって指定された画像をどのような配列で表示するかについて選択可能な配列候補を表示する。配列切替部２３０３の内容についての詳細は後述する。
【０１５１】
ズーム切替部２３０４には、貼り合わせの対象となる画像がズームをもちいて撮影されたか否かに関する選択可能なズームの切替候補を表示する。ズームをもちいて撮影されていなければ「標準」２３１３を選択し、一方、ズームをもちいて撮影されていれば「最大」２３１４を選択することにより、ズームの切り替えをおこなう。
【０１５２】
なお、本実施の形態では、２種類の切替候補から１種類を選択することにより切り替えができるようにしたが、デジタルスチルカメラの種類やズームの種類によっては、さらに多くの種類のズームが切り替えられるようにしてもよい。また、デジタルスチルカメラの種類によっては、これらの焦点距離の設定に関する情報を画像データに付加することが考えられ、その場合には、その焦点距離の設定に関する情報を読み取って、自動的に焦点距離の設定をおこなうようにしてもよい。
【０１５３】
カメラ切替部２３０５には、選択可能なデジタルスチルカメラ名の一覧を表示する。表示されたデジタルスチルカメラ名の中から貼り合わせの対象となる画像を撮影したデジタルスチルカメラ名を選択することにより、カメラの切替をおこなう。
【０１５４】
拡大ボタン２３０６は、実施の形態１の拡大ボタン７０４と同様に、貼り合わせ作業領域２３０１上に表示された画像のサイズを拡大させるためのボタンである。拡大ボタンを１回押下することにより、すなわちカーソルを拡大ボタン２３０６上へ移動させ、マウス２１２等のボタンを１回クリックすることにより、あらかじめ定められた倍率で拡大され、拡大された画像が貼り合わせ作業領域２３０１上に表示される。これにより、操作者は結合点を指定しやすくなる。
【０１５５】
縮小ボタン２３０７は、実施の形態１の縮小ボタン７０５と同様に、拡大ボタン２３０６とは逆に押下回数によって拡大ボタン２３０６においてあらかじめ定められた倍率と同一の倍率で縮小される。したがって、縮小ボタン２３０７を拡大ボタン２３０６の押下回数と同一回数だけ押下することにより元の画像のサイズに戻ることになる。
【０１５６】
開始ボタン２３０８は、実施の形態１の開始ボタン７０６と同様に、画像の貼り合わせ処理の開始指示をおこなうためのボタンである。現状では、結合点の指定が未だなされていないため、開始ボタン２３０８はグレイアウトしており、押下できない状態になっている。
【０１５７】
キャンセルボタン２３０９は、実施の形態１のキャンセルボタン７０７と同様に、貼り合わせ処理のキャンセル指示をおこなうためのボタンである。キャンセルボタン２３０９の押下により、現時点までおこなわれてきた貼り合わせ処理は中止され、貼り合わせ処理ウインドウ２３００が閉じられる。
【０１５８】
また、貼り合わせ作業領域２３０１に表示されている画像は、結合点指定部４０３により結合点の指定をおこなうので、画像は貼り合わせをおこなう配列に並べられていなければならない。そのため、画像配置部４０２は、画像位置の入替処理をおこなう。なお、画像位置の入替処理は実施の形態１における画像位置の入替処理と同様であるので、その説明は省略する。
【０１５９】
図２４は、実施の形態５による画像処理装置の表示部３０８に表示される表示画面の別の一例を示す説明図である。図２４においては、まず、モード切替部２３０２のクリックモードを画像位置入替モード２３１１から結合位置指定モード２３１２へ変更した後、貼り合わせ作業領域２３０１において、隣り同士の画像を比較して、両方の画像に同一の画像が存在する部分のうち、特徴があるポイントをそれぞれ、マウス２１２等のポインティングデバイスで指定した結果、接続線２３６１，２３６２，２３６３，２３６４が描画された状態を示している。たとえば、接続線２３６１は、画像２３５１および２３５２の両方に存在する船首の部分を接続している。
【０１６０】
この際、画像の明るさが画像ごと異なる場合は、指定された複数の画像のうち、もっとも明るい画像に他の画像の明るさを合わせることにより、画像の明るさを統一する。また、もっとも左端側に配列された画像の明るさに他の画像の明るさを合わせてもよく、さらに、指定された画像のうち、操作者が任意に選択した画像の明るさに他の画像の明るさを合わせるようにしてもよい。
【０１６１】
接続線２３６１，２３６２，２３６３，２３６４の描画方法は、実施の形態２における接続線１６２１の描画方法と同様であるので、その内容の説明は省略する。また、画像の貼り合わせの方法は、実施の形態１における画像の貼り合わせ方法と同様なので、その内容の説明も省略する。すべての接続線が描画されると、開始ボタン２３０８が押下可能となり、開始ボタン２３０８を押下することにより、歪み補正処理が開始される。
【０１６２】
つぎに、配列切替部２３０３の配列切替処理の内容について説明する。図２５〜図３２は実施の形態５による画像処理装置の配列切替部２３０３の表示の一例および貼り合わせ作業領域２３０１における画像の配列を示す説明図である。図２５〜図３２において、各図の（ａ）は配列切替部２３０３の表示の一例であり、（ｂ）〜（ｃ）は貼り合わせ作業領域２３０１における画像の配列をそれぞれ示している。
【０１６３】
図２５（ａ）は、画像２枚を指定した場合に、配列切替部２３０３に表示される画像の並びを示している。画像２枚を指定した場合は、その画像を横に２枚並べて配列する（横２×縦１）か、あるいは、縦に２枚並べて配列する（横１×縦２）かの２通りがある。図２５（ｂ）は、「横２×縦１」の配列候補を指定した場合の貼り合わせ作業領域２３０１における画像の配列を示しており、図２５（ｃ）は、「横１×縦２」の配列候補を指定した場合の貼り合わせ作業領域２３０１における画像の配列を示している。
【０１６４】
以下、図２６は画像３枚を指定した場合を、図２７は画像４枚を指定した場合を、図２８は画像５枚を指定した場合を、図２９は画像６枚を指定した場合を、図３０は画像７枚を指定した場合を、図３１は画像８枚を指定した場合を、図３２は画像９枚を指定した場合をそれぞれ示している。
【０１６５】
特に、図２７（ａ）〜図３２（ａ）においては、横長の画像になる配列候補にはそれが一目でわかるように「（パノラマ）」の文字を付加して表示している。また、本実施例においては、縦横とも３枚の配列を基本配列としているため、パノラマとなる場合以外は、縦横とも４枚以上となるような配列候補は表示していない。したがって、図３１（ａ）において、画像８枚を指定した場合に「横４×縦２」あるいは「横２×縦４」という配列候補は表示していない。ただし、これらの配列候補を表示するようにしてもよい。
【０１６６】
つぎに、カメラ切替部２３０５のカメラ切替処理の内容について説明する。図３３は実施の形態５による画像処理装置のカメラ切替処理の手順を示すフローチャートである。図３３のフローチャートにおいて、まず、画像データ記憶部１０４から画像の画素数を取得する（ステップＳ３３０１）。つぎに、取得した画素数から、撮影した画像の画素数が当該画素数と一致しないデジタルスチルカメラが存在するか否かを判断する（ステップＳ３３０２）。
【０１６７】
ステップＳ３３０２において、一致しないデジタルスチルカメラが存在しない場合（ステップＳ３３０２否定）は、ステップＳ３３０４へ移行し、あらかじめデジタルスチルカメラに関するリストに登録されているすべてのデジタルスチルカメラの表示をする。一方、一致しないデジタルスチルカメラが存在する（ステップＳ３３０２肯定）は、当該一致しないデジタルスチルカメラ名を上記リストから削除し（ステップＳ３３０３）、削除されたリストを表示する（ステップＳ３３０４）。
【０１６８】
以上説明したように、この実施の形態５によれば、たとえばデジタルスチルカメラにより横長の風景を撮影したい場合に、デジタルスチルカメラの方向を少しずつずらして撮影した複数の画像を貼り合わせてパノラマ画像とすることができる。
【０１６９】
また、その際、撮影した画像の枚数にもとづいて適切な配列候補を表示するので、画像の配列処理をより効率的におこなうことができる。さらに、撮影された画像の画素数を取得することにより、当該画素数が撮影可能なデジタルスチルカメラのみを表示することができるので、撮影されたデジタルスチルカメラとは異なるデジタルスチルカメラを誤って選択してしまうことを回避することができる。
【０１７０】
【発明の効果】
以上説明したように、この発明によれば、指定された画像を貼り合わせの配列に並べて配置し、配置された画像を表示し、隣り同士に表示された画像に任意の結合点を各画像ごと一点だけ指定するので、結合点となる点を指定するだけの簡易な操作により画像の貼り合わせができ、画像貼り合わせ等の画像の編集加工処理を容易にかつ効率的におこなうことが可能な画像処理装置が得られるという効果を奏する。
【０１７１】
また、この発明によれば、指定された結合点の間に接続線を描画するので、線を描くのと同じ感覚で結合点の指定ができ、また、結合点が指定されているか否かの状態が一見して認識することが可能な画像処理装置が得られるという効果を奏する。
【０１７２】
また、この発明によれば、すでに結合点が指定された画像に対してさらに別の結合点が指定された場合に、当該すでにおこなわれている結合点の指定を解除するので、あらたな結合点を指定する際、あらかじめすでにおこなわれている結合点の指定を解除する必要がなく、初めて結合点を指定するのと同一の操作で、結合点の指定の変更を容易かつ効率的におこなうことが可能な画像処理装置が得られるという効果を奏する。
【０１７３】
また、この発明によれば、画像を入力する際にもちいられた焦点距離を設定し、画像が貼り合わされる際に設定された焦点距離にもとづいて画像の補正をおこなうので、焦点距離が異なる入力手段により入力された画像であっても、歪みを生じることなく画像の貼り合わせをおこなうことが可能な画像処理装置が得られるという効果を奏する。
【０１７４】
また、この発明によれば、指定された画像を貼り合わせの配列に並べて配置し、配置された画像を表示し、隣り同士に表示された画像に任意の結合点を各画像ごと一点だけ指定するので、結合点となる点を指定するだけの簡易な操作により画像の貼り合わせができ、画像貼り合わせ等の画像の編集加工処理を容易にかつ効率的におこなうことが可能な画像処理方法が得られるという効果を奏する。
【０１７５】
また、この発明によれば、指定された結合点の間に接続線を描画するので、線を描くのと同じ感覚で結合点の指定ができ、また、結合点が指定されているか否かの状態が一見して認識することが可能な画像処理方法が得られるという効果を奏する。
【０１７６】
また、この発明によれば、すでに結合点が指定された画像に対してさらに別の結合点が指定された場合に、当該すでにおこなわれている結合点の指定を解除するので、あらたな結合点を指定する際、あらかじめすでにおこなわれている結合点の指定を解除する必要がなく、初めて結合点を指定するのと同一の操作で、結合点の指定の変更を容易かつ効率的におこなうことが可能な画像処理方法が得られるという効果を奏する。
【０１７７】
また、この発明によれば、画像を入力する際にもちいられた焦点距離を設定し、画像が貼り合わされる際に設定された焦点距離にもとづいて画像の補正をおこなうので、焦点距離が異なる入力手段により入力された画像であっても、歪みを生じることなく画像の貼り合わせをおこなうことが可能な画像処理方法が得られるという効果を奏する。
【０１７８】
また、この発明に係る記憶媒体は、上記に記載された方法をコンピュータに実行させるプログラムを記録したことで、そのプログラムを機械読み取り可能となり、これによって、上記の動作をコンピュータによって実現することが可能な記録媒体が得られるという効果を奏する。
【図面の簡単な説明】
【図１】  この発明の実施の形態１による画像処理装置を含む画像付ドキュメント作成システム全体の構成を機能的に示す説明図である。
【図２】  実施の形態１による画像処理装置のハードウエア構成を示すブロック図である。
【図３】  実施の形態１による画像処理装置の構成を機能的に示すブロック図である。
【図４】  実施の形態１による画像処理装置の画像変更部およびそれらの周辺部の構成を機能的に示すブロック図である。
【図５】  実施の形態１による画像処理装置の表示部に表示される表示画面の一例を示す説明図である。
【図６】  実施の形態１による画像処理装置の表示部に表示される表示画面の別の一例を示す説明図である。
【図７】  実施の形態１による画像処理装置の表示部に表示される表示画面の別の一例を示す説明図である。
【図８】  実施の形態１による画像処理装置の表示部に表示される表示画面の別の一例を示す説明図である。
【図９】  実施の形態１による画像処理装置の表示部に表示される表示画面の別の一例を示す説明図である。
【図１０】  実施の形態１による画像処理装置の画像配置部における画像位置の入替処理を説明する説明図である。
【図１１】  実施の形態１による画像処理装置の表示部に表示される表示画面の別の一例を示す説明図である。
【図１２】  実施の形態１による画像処理装置の表示部に表示されるウインドウの一例を説明する説明図である。
【図１３】  実施の形態１による画像変更部および表示制御部の一連の処理の手順を示すフローチャートである。
【図１４】  実施の形態１による画像配置部の処理の手順を示すフローチャートである。
【図１５】  この発明の実施の形態２による画像処理装置の画像変更部およびその周辺部の構成を機能的に示すブロック図である。
【図１６】  実施の形態２による画像処理装置の表示部に表示される表示画面の一例を示す説明図である。
【図１７】  実施の形態２による画像変更部および表示制御部の一連の処理の手順の一部を示すフローチャートである。
【図１８】  この発明の実施の形態３による画像処理装置の画像変更部およびその周辺部の構成を機能的に示すブロック図である。
【図１９】  実施の形態３による画像変更部および表示制御部の一連の処理の手順の一部を示すフローチャートである。
【図２０】  この発明の実施の形態４による画像処理装置の画像変更部およびその周辺部の構成を機能的に示すブロック図である。
【図２１】  実施の形態４による画像処理装置の表示部に表示される表示画面の一例を示す説明図である。
【図２２】  実施の形態４による画像変更部および表示制御部の一連の処理の手順の一部を示すフローチャートである。
【図２３】  実施の形態５による画像処理装置の表示部に表示される表示画面の一例を示す説明図である。
【図２４】  実施の形態５による画像処理装置の表示部に表示される表示画面の別の一例を示す説明図である。
【図２５】  実施の形態５による画像処理装置の配列切替部の表示の一例および貼り合わせ作業領域における画像の配列を示す説明図である。
【図２６】  実施の形態５による画像処理装置の配列切替部の表示の別の一例および貼り合わせ作業領域における画像の配列を示す説明図である。
【図２７】  実施の形態５による画像処理装置の配列切替部の表示の別の一例および貼り合わせ作業領域における画像の配列を示す説明図である。
【図２８】  実施の形態５による画像処理装置の配列切替部の表示の別の一例および貼り合わせ作業領域における画像の配列を示す説明図である。
【図２９】  実施の形態５による画像処理装置の配列切替部の表示の別の一例および貼り合わせ作業領域における画像の配列を示す説明図である。
【図３０】  実施の形態５による画像処理装置の配列切替部の表示の別の一例および貼り合わせ作業領域における画像の配列を示す説明図である。
【図３１】  実施の形態５による画像処理装置の配列切替部の表示の別の一例および貼り合わせ作業領域における画像の配列を示す説明図である。
【図３２】  実施の形態５による画像処理装置の配列切替部の表示の別の一例および貼り合わせ作業領域における画像の配列を示す説明図である。
【図３３】  実施の形態５による画像処理装置のカメラ切替処理の手順を示すフローチャートである。
【符号の説明】
１００  画像処理装置
１０１  入力部
１０２  加工部
１０３  出力部
１０４  画像データ記憶部
２０１  ＣＰＵ
２０５  ＨＤ
２０７  ＦＤ
２０８  ディスプレイ
２１１  キーボード
２１２  マウス
２１３  デジタルスチルカメラ
３０１  操作指示部
３０４  画像変更部
３０７  表示制御部
３０８  表示部
４０１  画像指定部
４０２  画像配置部
４０３  結合点指定部
４０４  貼り合わせ部
７００，２３００  貼り合わせ処理ウインドウ
７０１，２３０１  貼り合わせ作業領域
１６２１，２３６１〜２３６４  接続線
１５０５  接続線描画部
１８０６  結合点指定解除部
２２０７  焦点距離設定部
２２０８  画像補正部
２３０２  モード切替部
２３０３  配列切替部
２３０４  ズーム切替部
２３０５  カメラ切替部
【図１】
0003760050.tif 000002
【図２】
0003760050.tif 000003
【図３】
0003760050.tif 000004
【図４】
0003760050.tif 000005
【図５】
0003760050.tif 000006
【図６】
0003760050.tif 000007
【図７】
0003760050.tif 000008
【図８】
0003760050.tif 000009
【図９】
0003760050.tif 000010
【図１０】
0003760050.tif 000011
【図１１】
0003760050.tif 000012
【図１２】
0003760050.tif 000013
【図１３】
0003760050.tif 000014
【図１４】
0003760050.tif 000015
【図１５】
0003760050.tif 000016
【図１６】
0003760050.tif 000017
【図１７】
0003760050.tif 000018
【図１８】
0003760050.tif 000019
【図１９】
0003760050.tif 000020
【図２０】
0003760050.tif 000021
【図２１】
0003760050.tif 000022
【図２２】
0003760050.tif 000023
【図２３】
0003760050.tif 000024
【図２４】
0003760050.tif 000025
【図２５】
0003760050.tif 000026
【図２６】
0003760050.tif 000027
【図２７】
0003760050.tif 000028
【図２８】
0003760050.tif 000029
【図２９】
0003760050.tif 000030
【図３０】
0003760050.tif 000031
【図３１】
0003760050.tif 000032
【図３２】
0003760050.tif 000033
【図３３】
0003760050.tif 000034